(57)【特許請求の範囲】
【請求項１】
上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記清掃部材の貫通孔の周壁に圧接状態で配設したコイルスプリングまたは複数のリング部材により構成したことを特徴とする電気掃除機の吸込口体。
【請求項２】
上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材又は前記本体ケースの対向面に形成され吸込開口の外周部を囲むピン部材により構成し、前記筒状部材またはピン部材を前記吸込開口の軸方向に移動可能としたことを特徴とする電気掃除機の吸込口体。
【請求項３】
上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材により構成し、前記清掃部材の肉厚を前記筒状部材より大きくするとともに、この清掃部材の前記対向面側の外周部に吸込気流の作用により変形して略溝状の吸込路を形成する変形部を形成したことを特徴とする電気掃除機の吸込口体。
【請求項４】
上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材により構成し、前記筒状部材の先端部に軟質部材を設けたことを特徴とする電気掃除機の吸込口体。
【発明の詳細な説明】
【０００１】
【発明の属する技術分野】
この発明は、電気掃除機に使用する吸込口体に関する。
【０００２】
【従来の技術】
従来電気掃除機に使用される吸込口体の中には、掃除をする対象により種々の形態のものが使用されている。その中の一つとして家具類、障子等を対象とした吸込口体は家具類、障子等を傷付けないように工夫されている。このような吸込口体としては例えば実公昭４５−３３７９６号公報に記載されている。この公報に記載された吸込口体は、軟質塩化ビニールなどからなる吸込管の集塵体装着部に柔軟性を有する含泡合成樹脂で充満された肉塊部に吸込面を形成した吸込体を取り付ける構成としたものである。このものは塵埃の大部分を吸込体の肉塊部に形成された無数の小間隙に補足するものであり、そして、通過した細塵を掃除機本体に設けた集塵袋に集塵するものである。したがって、大きな塵埃を直接掃除機本体に吸い込むことができないものである。なお、上記公報には吸込体に切込みあるいは溝を形成して積極的に通風経路を形成し吸引力を増大させてもよい（上記公報第２頁第３欄第２０行〜第２２行）旨記載されている。
【０００３】
しかし、大きな塵埃を吸い込むように通風路を形成したとしても、吸込体が上記軟質材で形成されていることから、被清掃物を傷付けず表面を摺接してきれいにするという面では良好であるが、掃除機の吸込気流による吸込力が作用すると吸込体が変形して前記通風路が閉塞されてしまうということが発明者の実験により判明した。
【０００４】
上記公報に記載された吸込口体は被清掃物を傷付けずに、また変形することから被清掃物の隅々まで清掃でき、また、家具を研磨できる等の効果を有するものの大きな塵埃を吸込むことができず、このために通風路つまり吸込風路を形成したとしてもこれを開口状態に維持できず通風路が吸込体により閉塞されるために良好な清掃ができないという問題がある。
【０００５】
【発明が解決しようとする課題】
上述のように従来の家具類、障子等を清掃する吸込口体は、上述のように大きな塵埃を直接掃除機本体に吸い込むことができず、また、大きな塵埃を吸い込むように通風路を形成したとしても、吸込体が上記軟質材で形成されていることから、掃除機の吸込気流による吸込力が作用すると吸込体が変形して前記通風路が閉塞し良好な清掃ができないという問題がある。
【０００８】
【課題を解決するための手段】
この発明は上記事情に鑑みなされたもので、請求項１記載の発明は、上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記清掃部材の貫通孔の周壁に圧接状態で配設したコイルスプリングまたは複数のリング部材により構成した電気掃除機の吸込口体としたものである。
【０００９】
このように構成した請求項１記載の発明は、清掃部材が軟質材で形成されていることから家具類、障子等を傷付けることなく、また、吸込開口を清掃部材に形成した貫通孔の周壁部により閉塞しないようにしたことから、大きな塵埃を直接電気掃除機に吸い込むことができ、また、清掃部材は通気性を有することから清掃部材の外周壁を通して吸込気流が吸い込まれるため、周囲部の塵埃も効率良く吸い込むことができるという作用を有するものである。また、吸込開口の閉塞をコイルスプリングまたは複数のリング部材により形成した閉塞阻止部材により阻止する構成としたことから確実に閉塞阻止ができるという作用を有するものである。加えて、掃除中に軟質の清掃部材が上方から加わる押圧力によって圧縮された場合においても、コイルスプリングまたは複数のリング部材は清掃部材の圧縮に追従するとともに貫通孔の周壁はコイルスプリングまたは複数のリング部材によって変形が阻止されるため、貫通孔の周壁により吸込開口の閉塞を確実に阻止できるという作用を有するものである。
【００１６】
また、請求項２記載の発明は、上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材又は前記本体ケースの対向面に形成され吸込開口の外周部を囲むピン部材により構成し、前記筒状部材またはピン部材を前記吸込開口の軸方向に移動可能とした電気掃除機の吸込口体としたものである。。
【００１７】
このように構成した請求項２記載の発明は、上記請求項１記載の発明と同様に、清掃部材が軟質材で形成されていることから家具類、障子等を傷付けることなく、また、吸込開口を清掃部材に形成した貫通孔の周壁部により閉塞しないようにしたことから、大きな塵埃を直接電気掃除機に吸い込むことができ、また、清掃部材は通気性を有することから清掃部材の外周壁を通して吸込気流が吸い込まれるため、周囲部の塵埃も効率良く吸い込むことができるという作用を有するものである。加えて、掃除中に軟質の清掃部材が上方から加わる押圧力によって圧縮された場合においても、吸込開口の閉塞を阻止する閉塞阻止部材を構成した筒状部材またはピン部材は、清掃部材の圧縮に追従するとともに貫通孔の周壁は筒状部材またはピン部材によって変形が阻止されるため、貫通孔の周壁により吸込開口の閉塞を確実に阻止できるという作用を有するものである。
【００１８】
また、請求項３記載の発明は、上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材により構成し、前記清掃部材の肉厚を前記筒状部材より大きくするとともに、この清掃部材の前記対向面側の外周部に吸込気流の作用により変形して略溝状の吸込路を形成する変形部を形成した電気掃除機の吸込口体としたものである。
【００１９】
このように構成した請求項３記載の発明は、上記請求項１記載の発明と同様に、清掃部材が軟質材で形成されていることから家具類、障子等を傷付けることなく、また、吸込開口を清掃部材に形成した貫通孔の周壁部により閉塞しないようにしたことから、大きな塵埃を直接電気掃除機に吸い込むことができ、また、清掃部材は通気性を有することから清掃部材の外周壁を通して吸込気流が吸い込まれるため、周囲部の塵埃も効率良く吸い込むことができるという作用を有するものである。また、吸込開口の閉塞を閉塞阻止部材により阻止する構成としたことから確実に閉塞阻止ができるという作用を有するものである。この場合、筒状部材により閉塞阻止部材を構成したことから筒状部材の開口は被清掃面に近くなり、それによって吸込口体の中央部の吸込力を高めることができることから確実な吸塵ができるという作用を有するものである。加えて、清掃部材の被清掃面側の外周部に吸込気流の作用により略溝状の吸込路が形成されることから、この吸込路により効率よく吸塵することができるという作用を有するものである。
【００２０】
また、請求項４記載の発明は、上部に電気掃除機に設けた吸込ホースに接続される接続管を有するとともに被清掃面との対向面に前記接続管に連通する吸込開口を有した本体ケースと、通気性を有する軟質肉厚部材からなり前記本体ケースの前記対向面側に配設されるとともに前記吸込開口の周囲にこの吸込開口よりも突出して設けられ、前記吸込開口と連通する貫通孔を有した清掃部材と、前記電気掃除機の吸込気流により清掃部材によって前記吸込開口が閉塞されることを阻止する閉塞阻止部材とを備え、前記閉塞阻止部材を前記本体ケースの対向面に形成され吸込開口を囲む筒状部材により構成し、前記筒状部材の先端部に軟質部材を設けた電気掃除機の吸込口体としたものである。
【００２１】
このように構成した請求項４記載の発明は、上記請求項１記載の発明と同様に、清掃部材が軟質材で形成されていることから家具類、障子等を傷付けることなく、また、吸込開口を清掃部材に形成した貫通孔の周壁部により閉塞しないようにしたことから、大きな塵埃を直接電気掃除機に吸い込むことができ、また、清掃部材は通気性を有することから清掃部材の外周壁を通して吸込気流が吸い込まれるため、周囲部の塵埃も効率良く吸い込むことができるという作用を有するものである。また、吸込開口の閉塞を閉塞阻止部材により阻止する構成としたことから確実に閉塞阻止ができるという作用を有するものである。この場合、筒状部材により閉塞阻止部材を構成したことから筒状部材の開口は被清掃面に近くなり、それによって吸込口体の中央部の吸込力を高めることができることから確実な吸塵ができるという作用を有するものである。加えて、掃除中に軟質の清掃部材が上方から加わる押圧力によって圧縮され、筒状部材の先端部が被清掃面に当接しつつ移動した場合においても、被清掃面を傷付けることを防止できるという作用を有するものである。
【００２２】
【発明の実施の形態】
つぎに、この発明の第１参考例を図１ないし図４に基づいて説明する。
【００２３】
図１はこの発明の第１参考例の吸込口体１０を接続した状態の電気掃除機の全体斜視図であり、同図において１は電気掃除機本体で、この電気掃除機本体（以下掃除機本体という）１内には従来周知の電気掃除機と同様に送風機室に配設された電動送風機２と前記送風機室の上流側に設けられた集塵室に配設された集塵袋等からなる集塵装置３が配設されている。また、前記掃除機本体１の前部には吸込口４が設けられ、この吸入口４には吸込ホース５が着脱自在に取り付けられている。そして、この吸込ホース５の先端部には把手部６が設けられこの把手部６には複数の操作釦７が設けられている。また、前記把手部６には前記吸込口体１０が着脱可能に取り付けられている。なお、この把手部６には図示しない延長管が着脱可能に取り付けられるようになっており、この延長管には従来周知の床ブラシが接続されるようになっているものである。
【００２４】
つぎに、前記吸込口体１０について説明する。この吸込口体１０は図２ないし図４に示すように本体ケース２０と清掃部材３０とから構成されている。
【００２５】
前記本体ケース２０は合成樹脂からなり、図２および図４に示すように上面壁２１は略正三角形に形成され、この上面壁２１の外周縁には外周壁２２が形成され、上面壁２１と外周壁２２により凹状の取付部２３が形成されている。また、前記上面壁２１の中央部には一辺側に傾斜して形成された接続管２４が形成され、この接続管２４の孔２４ａは上面壁２１に形成した吸込開口としての開口２８に連通している。そして、前記接続管２４を前記吸込ホース５の把手部６に嵌合することによりこの把手部６に着脱可能となっているものである。また、上面壁２１の被清掃面と対向する裏面つまり被清掃面と対向する面（以下裏面という。また、以降の説明において上面壁２１の外側上面を上面という）には前記開口２８を囲んで形成された閉塞阻止部材としての筒状部材２５が突設されており、この筒状部材２５の孔２５ａ（吸込開口の一部を構成している）は前記接続管２４の孔２４ａと連通している。また、前記上面壁２１の裏面には外周壁２２に沿って複数のピン部材としてのピン２６が突設されている。
【００２６】
つぎに前記清掃部材３０は、通気性のある多数の微細な小孔を有する例えば発泡ウレタンフォーム等からなる軟質でしかも肉厚な部材から構成され、その外径は前記取付部２３つまり前記外周壁２２の内周に嵌合するように略正三角形に形成されている。また、中央部には前記筒状部材２５の外周に嵌合する貫通孔３１が形成されるとともに、この貫通孔３１の外側には前記ピン２６に嵌合する複数の嵌合孔３２が形成されている。そして、この清掃部材３０は前記貫通孔３１および嵌合孔３２を前記本体ケース２０の筒状部材２５およびピン２６に嵌合させることにより、前記本体ケース２０に着脱可能となっているものである。
【００２７】
また、清掃部材３０の肉厚Ｔは前記筒状部材２５およびピン２６の長さより大きく設定されており、したがって、この清掃部材３０を本体ケース２０の取付部２３に取り付けた際には、筒状部材２５およびピン２６の先端部は清掃部材３０の表面つまり被清掃面に摺接する面からは突出しない構成となっている。このことによって、吸込口体１を清掃時に上方から通常の押圧力で被清掃面に押し付けながら清掃を行う場合に前記筒状部材２５およびピン２６の先端部は被清掃面に直接当接することはなく被清掃面を傷つけることが防止されるようになっている。
【００２８】
また、前記清掃部材３０の貫通孔３１の筒状部材２５の先端部から清掃部材３０の掃除面側の面までの筒状部材２５の外周壁に嵌合していない非嵌合周壁部の寸法Ｌは、筒状部材２５の孔２５ａの直径Ｒ（図４参照）の二分の一より小さく設定されており、このことによって前記貫通孔３１の非嵌合周壁部が吸込気流によって孔２５ａ内に引き込まれた場合においても、筒状部材２５の孔２５ａつまり吸込開口は貫通孔３１の前記非嵌合周壁部によって閉塞されることがないものである。
【００２９】
つぎに、このように構成した吸込口体１０の作用について説明する。吸込口体１０を図１に示すように吸込ホース５の把手部６に接続した後掃除機本体１を駆動して、把手部６を介して吸込口体１の前記清掃部材３０を家具類等の被清掃面に摺接させて清掃を行なう。そして、この清掃の際清掃部材３０は軟質部材で形成されていることから被清掃面を傷付けることがなく、また、大きな塵埃は清掃部材３０に形成した貫通孔３１から吸い込まれ、接続管２４、吸込ホース５を介して掃除機本体１に吸い込まれ集塵装置３によって捕捉つまり集塵される。また、清掃部材３０はそれ自体は微細な小孔を有し通気性を有することから清掃部材３０の外周周辺に存在する微細塵は微細な小孔から吸い込まれるとともに、この微細な小孔によって清掃部材３０の内部に捕捉される。そして、清掃部材３０は軟質であることから掃除中に吸込気流の作用つまり吸込力により貫通孔３１の非嵌合周壁部が孔２５ａの内側に引き込まれるが、この貫通孔３１の非嵌合周壁部が前記筒状部材２５の孔２５ａつまり開口２８を閉塞することを確実に阻止でき、大きな塵埃の吸込みが阻害されることがないものである。また、清掃部材３０の微細な小孔内に微細塵が蓄積され目詰まりした場合は、これを取り外して水洗い等により除去するものである。また、前記筒状部材２５は軟質の清掃部材３０を前後左右に被清掃面を摺接させながら移動させた場合に生じる清掃部材３０の変形を防止する機能も有するものである。
【００３０】
なお、上記第１参考例では筒状部材２５の周壁は連続した環状壁として形成したが、これは周囲に軸方向に沿ったスリットを形成する構成としてもよく、このように形成した場合は、清掃部材３０の外周部にある微細塵を効率よく吸い込むことができると同時に吸込口体１０の中央部の吸込力を増大して大きな塵埃を確実に吸い込むことができるという利点がある。
【００３１】
また、前記筒状部材２５の先端開口縁に例えば軟質の合成樹脂により形成したリング状の軟質部材としてのカバー部材を取り付けるようにすれば、清掃中に必要以上に大きな押圧力が作用し筒状部材２５の先端部が被清掃面に当接しても清掃面に傷を付けることを防止できるものである。
【００３２】
つぎに、この発明の第一の実施の形態を図５に基づいて説明する。なお、図５においては図２ないし図４に示す構成と同一構成に相当する部分については同一符号を付しその説明は省略する。図５に示すように上面壁２１に設けた開口２８の外周部に径大な筒状壁２７を設け、この筒状壁２７の下端縁に係合鍔２７ａを形成し、この係合鍔２７ａに係止される係止鍔１２５ｂを形成した筒状部材１２５を、前記筒状壁２７内に軸方向に沿って摺動可能に設けるとともに上面壁２１の裏面と前記係止鍔１２５ｂとの間にコイルスプリング１２６を介在させて常時は筒状部材１２５を下方つまり被清掃面側に押圧して突出させ移動可能としたものである。
【００３３】
このように構成することにより、掃除中に軟質の清掃部材３０が上方から加わる押圧力によって圧縮された場合においても、筒状部材１２５は清掃部材３０の内周面に圧接状態とされていることから、清掃部材３０の圧縮に追従するため被清掃面に当接することがないとともに、貫通孔３１の周壁部は筒状部材１２５によって変形が阻止されるため、貫通孔３１の周壁部により吸込開口の閉塞を確実に阻止できるものである。なお、前記阻止は、清掃部材３０の貫通孔３１の非嵌合周壁部の寸法Ｌを孔１２５ａの直径Ｒの二分の一より小さく設定することによってなされているものである。
【００３４】
また、この場合も清掃部材３０の外周部にある微細塵を効率よく吸い込むようにするとともに吸込口体１０の中央部の吸込力を増大して大きな塵埃を確実に吸い込むことができるように筒状部材１２５の周壁には、周囲に軸方向に沿ったスリットを形成するようにしてもよい。
【００３５】
つぎに、この発明の第２参考例を図６に基づいて説明する。なお、図６においては図２ないし図４に示す構成と同一構成に相当する部分については同一符号を付しその説明は省略する。
【００３６】
この第２参考例は図６に示すように、上面壁２１の裏面に形成したピン２６ａの長さを長くして、この長くしたピン２６ａを貫通孔３１の外周部に形成した嵌合孔３２に嵌合させることにより貫通孔３１の周壁部が吸込開口である開口２８に引き込まれることを阻止する構成としたものである。つまり、前記長くしたピン２６ａを閉塞阻止部材として、筒状部材２５を設けない構成としたものである。
【００３７】
このように構成した場合はピン同志の間に大きな間隙が形成されることから、清掃部材３０の外周からの吸込気流を増大させることができ、清掃部材３０の外周部にある微細塵を効率よく吸い込むことができるという利点がある。また、ピン２６ａによって清掃部材３０の変形を防止することもできる。
【００３８】
なお、前記ピン２６ａの先端部に例えば軟質の合成樹脂により形成した軟質部材としてのキャップ部材を取り付けるようにすれば、清掃中に必要以上に大きな押圧力が作用しピン２６ａの先端部が被清掃面に当接しても被清掃面に傷を付けることを防止できるものである。
【００３９】
また、この発明の第二の実施の形態では、前記ピン２６ａを、図７に示すように上壁面２１の裏面から突出するとともに内部にガイド孔２６ｂを設けたガイド軸２６ｃを設け、このガイド孔２６ｂにばね２６ｄによって下方つまり被清掃面側に突出するように付勢して軸方向に移動可能に設けている。このようにした場合は掃除中に軟質の清掃部材３０が上方から加わる押圧力によって圧縮されると、ピン２６ａは清掃部材３０の圧縮に追従するとともに貫通孔３１の周壁部はピン２６ａによって変形が阻止されるため、貫通孔３１の周壁部により吸込開口つまり開口２８の閉塞を確実に阻止できるものである。また、ピン２６ａは清掃部材３０の伸縮に追従することから、先端部を貫通孔３１の被清掃面側の開口縁近傍位置にまで位置させても被清掃面に当接することがなく、被清掃面を傷つけることがないとともに貫通孔３１の周壁部によって開口２８が閉塞されることがない。
【００４０】
なお、前記ガイド軸２６ｃのガイド孔２６ｂは上面壁２１の上面に開口しており、この開口から前記ピン２６ａおよびばね２６ｄを挿入した後蓋部材２６ｅで閉蓋して取り付けられるようになっている。
【００４１】
つぎに、この発明の第三の実施の形態を図８に基づいて説明する。なお、図８においては図２ないし図４に示す構成と同一構成に相当する部分については同一符号を付しその説明は省略する。
【００４２】
この実施の形態は図８に示すように、閉塞阻止部材を清掃部材３０の貫通孔３１の内周壁に接触つまり圧接状態で嵌合するコイルスプリング４０によって構成したものである。このように閉塞阻止部材をコイルスプリング４０によって構成した場合は、掃除中に軟質の清掃部材３０が上方から加わる押圧力によって圧縮されると、コイルスプリング４０は清掃部材３０の圧縮に追従するとともに貫通孔３１の周壁部はコイルスプリング４０によって変形が阻止されるため、貫通孔３１の周壁部により吸込開口つまり開口２８の閉塞を確実に阻止できるものである。また、コイルスプリング４０は清掃部材３０の軸方向の伸縮に追従することから、コイルスプリング４０の端縁を貫通孔３１の被清掃面側の開口縁近傍に位置させても被清掃面に当接することがなく、被清掃面を傷つけることがないとともにコイルスプリング４０の端縁を貫通孔３１の被清掃面側の開口縁近傍に位置することができるため、貫通孔３１の周壁部が吸込気流により内側に引き込まれても吸込開口である開口２８は前記周壁部によって閉塞されることがない。また、軟質の清掃部材３０を前後左右に被清掃面を摺接させながら移動させる際に、清掃部材３０が変形したとしても、コイルスプリング４０はその弾性力によって元の状態に復元させるように機能するものであり、清掃部材３０の保形機能も有するものである。
【００４３】
また、コイルスプリング４０は貫通孔３１の内側を筒状部材２５のように吸込気流を遮蔽することがないため、清掃部材３０の外周から吸込気流が流れ込むことから清掃部材３０の外周部にある微細塵を効率よく吸い込むことができるものである。
【００４４】
つぎに、この発明の第四の実施の形態を図９に基づいて説明する。なお、図９においては図２ないし図４に示す構成と同一構成に相当する部分については同一符号を付しその説明は省略する。
【００４５】
この実施の形態は図９に示すように、閉塞阻止部材を貫通孔３１の周壁に圧接状態に嵌合保持させて軸方向に配設した複数の独立したリング部材４１によって構成したものである。このように閉塞阻止部材を複数のリング部材４１によって構成した場合においても、掃除中に軟質の清掃部材３０が上方から加わる押圧力によって圧縮されると、リング部材４１は清掃部材３０の圧縮に追従するとともに貫通孔３１の周壁部はリング部材４１によって変形が阻止されるため、貫通孔３１の周壁部による吸込開口である開口２８が閉塞されることを確実に阻止できるものである。また、リング部材４０は清掃部材３０の嵌合保持された状態で伸縮に追従するものであることから、貫通孔３１の最も下方に位置するリング部材４１を被清掃面側の開口縁近傍に位置させても被清掃面に当接することがなく、また、このリング部材４１は貫通孔３１の被清掃面側の開口縁近傍に位置させることができることからも貫通孔３１の周壁部が吸込気流により内側に引き込まれることを阻止して開口２８の閉塞を確実に防止できる。また、リング部材４１は貫通孔３１の内側を筒状部材２５のように吸込気流を遮蔽することがないため、清掃部材３０の外周から流れ込む吸込気流を増大させることができることから清掃部材３０の外周部にある微細塵を効率よく吸い込むことができるものである。
【００４６】
つぎに、上記吸込口体１０に取り付けられる前記清掃部材３０は、その外形つまり貫通孔３１の軸方向の投影を略正三角形の形状に形成するとともに、その中央部に前記貫通孔３１を形成する構成としたことから、その三辺と対応する貫通孔３１の外周部の肉厚Ｔ１は図３に示すように各角に対応する外周部の肉厚Ｔ２より薄く形成されることになる。そして、前記貫通孔３１の周壁部は上述したように吸込気流によって内側に吸引されて変形するものである。そこで、清掃部材３０は図１０に示すように変形しやすい前記三辺と対応する貫通孔３１の外周部の肉厚Ｔ１の厚み寸法と、前記貫通孔３１の前記筒状部材２５の外周と嵌合しない非嵌合周壁部の寸法Ｌとの寸法関係を吸込気流が作用した際に変形して略溝状の吸込路３５が形成される関係に設定したものである。このように吸込路３５が形成されるように前記肉厚Ｔ１と非嵌合周壁部の寸法Ｌとの寸法関係に設定することにより、清掃中に清掃部材３０の下面を被清掃面に摺接させて清掃すると、吸込気流により前記貫通孔３１の前記三辺の部位の周壁部が変形して略溝状の吸込路３５が形成され、この吸込路３５を介して被清掃面の大きな塵埃および微細塵が吸い込まれることから効率良く清掃ができるものである。
【００４７】
そして、前記吸込路３５が形成されるように前記肉厚Ｔ１と非嵌合周壁部の寸法Ｌとの寸法関係の設定は、電気掃除機の吸込風量、開口２８の開口面積、清掃部材３０の材質および大きさ等によって異なるものであることから、実験によって決定されるものである。
【００４８】
なお、前記各角に対応する外周部の肉厚の厚い部位を変形させて略溝状の吸込路を形成する場合は、図１１に示すように貫通孔３１の外周部に凹部３６を形成することにより、変形しやすい部分を設けることにより吸込路を形成することもできる。
【００５０】
また、上記実施の形態における吸込口体１０は上壁面２１の上面方向からの投影が略正三角形となる形状に形成したが、これは円形または方形状に形成してもよいことはいうまでもないものである。
【００５２】
【発明の効果】
上記のように構成した請求項１記載の発明は、清掃部材が軟質材で形成されていることから家具類、障子等を傷付けることなく、また、吸込開口を清掃部材により閉塞しないようにしたことから、大きな塵埃を直接電気掃除機に吸い込むことができ、また、清掃部材は通気性を有することから清掃部材の外周壁を通して吸込気流が吸い込まれるため、周囲の塵埃も効率良く吸い込むことができるという効果を有するものである。また、吸込開口の閉塞を、閉塞阻止部材を構成したコイルスプリングまたは複数のリング部材により阻止する構成としたことから確実に閉塞阻止ができるという効果を有するものである。加えて、掃除中に軟質の清掃部材が上方から加わる押圧力によって圧縮された場合においても、コイルスプリングまたは複数のリング部材は清掃部材の圧縮に追従するとともに貫通孔の周壁はコイルスプリングまたは複数のリング部材によって変形が阻止されるため、貫通孔の周壁により吸込開口の閉塞を確実に阻止できるという効果を有するものである。
【００５６】
また、請求項２記載の発明は、清掃部材が軟質材で形成されていることから家具類、障子等を傷付けることなく、また、吸込開口を清掃部材により閉塞しないようにしたことから、大きな塵埃を直接電気掃除機に吸い込むことができ、また、清掃部材は通気性を有することから清掃部材の外周壁を通して吸込気流が吸い込まれるため、周囲の塵埃も効率良く吸い込むことができるという効果を有するものである。加えて、筒状部材またはピン部材により構成した閉塞阻止部材を前記吸込開口の軸方向に移動可能としたものであることから、掃除中に軟質の清掃部材が上方から加わる押圧力によって圧縮された場合においても、筒状部材またはピン部材は清掃部材の圧縮に追従するとともに、清掃部材は筒状部材またはピン部材によって変形が阻止されるため、吸込開口の閉塞を確実に阻止できるという効果を有するものである。
【００５７】
また、請求項３記載の発明は、清掃部材が軟質材で形成されていることから家具類、障子等を傷付けることなく、また、吸込開口を清掃部材により閉塞しないようにしたことから、大きな塵埃を直接電気掃除機に吸い込むことができ、また、清掃部材は通気性を有することから清掃部材の外周壁を通して吸込気流が吸い込まれるため、周囲の塵埃も効率良く吸い込むことができるという効果を有するものである。また、吸込開口の閉塞を閉塞阻止部材により阻止する構成としたことから確実に閉塞阻止ができるという効果を有するものである。この場合、筒状部材により閉塞阻止部材を構成したことから、筒状部材の開口を被清掃面に近づけることができ、吸込口体の中央部の吸込力を高めることができることから確実な吸塵ができるという効果を有するものである。加えて、清掃部材の被清掃面側の外周部に吸込気流の作用により略溝状の吸込路が形成されることから、この吸込路により効率よく吸塵することができるという効果を有するものである。
【００５８】
また、請求項４記載の発明は、清掃部材が軟質材で形成されていることから家具類、障子等を傷付けることなく、また、吸込開口を清掃部材により閉塞しないようにしたことから、大きな塵埃を直接電気掃除機に吸い込むことができ、また、清掃部材は通気性を有することから清掃部材の外周壁を通して吸込気流が吸い込まれるため、周囲の塵埃も効率良く吸い込むことができるという効果を有するものである。また、吸込開口の閉塞を閉塞阻止部材により阻止する構成としたことから確実に閉塞阻止ができるという効果を有するものである。この場合、筒状部材により閉塞阻止部材を構成したことから、筒状部材の開口を被清掃面に近づけることができ、吸込口体の中央部の吸込力を高めることができることから確実な吸塵ができるという効果を有するものである。加えて、掃除中に軟質の清掃部材が上方から加わる押圧力によって圧縮され、筒状部材の先端部が被清掃面に当接しつつ移動した場合においても、被清掃面を傷付けることを防止できるという効果を有するものである。
【図面の簡単な説明】
【図１】本発明の第１参考例の吸込口体を接続した電気掃除機の全体斜視図。
【図２】上記吸込口体を上方からみた斜視図。
【図３】上記吸込口体を下方からみた斜視図。
【図４】上記吸込口体の分解斜視図。
【図５】本発明の吸込口体の第一の実施の形態を示す断面図。
【図６】本発明の吸込口体の第２参考例を示す断面図。
【図７】本発明の吸込口体の第二の実施の形態を示す断面図。
【図８】本発明の吸込口体の第三の実施の形態を示す断面図。
【図９】本発明の吸込口体の第四の実施の形態を示す断面図。
【図１０】本発明の吸込口体の清掃部材に吸込路が形成された状態を示す図で、（Ａ）は下方からみた斜視図、（Ｂ）は側面図（（Ａ）の矢印方向側面図）。
【図１１】本発明の吸込口体の清掃部材に吸込路を形成する他の形態を示す斜視図。
【符号の説明】
１            電気掃除機本体
５            吸込ホース
１０          吸込口体
２０          本体ケース
２４          接続管
１２５          筒状部材（閉塞阻止部材）
１２５ａ        吸込開口
２６ａ ピン部材としてのピン（閉塞阻止部材）
２６ｂ          ばね
２８          開口（吸込開口）
３０          清掃部材
３１          貫通孔
３５          吸込路
４０          コイルスプリング（閉塞阻止部材）
４１          リング部材（閉塞阻止部材）
１２６        コイルスプリング
【図１】
0003825100.tif 000002
【図２】
0003825100.tif 000003
【図３】
0003825100.tif 000004
【図４】
0003825100.tif 000005
【図５】
0003825100.tif 000006
【図６】
0003825100.tif 000007
【図７】
0003825100.tif 000008
【図８】
0003825100.tif 000009
【図９】
0003825100.tif 000010
【図１０】
0003825100.tif 000011
【図１１】
0003825100.tif 000012